(57)【要約】【課題】欄干又はフェンスを乗り越えようとする者が、これを把持したり又は踏み台代わりにすることを阻止する防犯エクステリア、及び防犯フェンスを提供する。【解決手段】防犯エクステリア１は、欄干２の上縁２０に固定される上縁被覆材３と、上縁被覆材３から立ち上がるブラケット４と、ブラケット４に回転自在に支持される回転体５と、欄干２の上縁２０と回転体５との隙間６を詰めるライナー７とを備える。防犯フェンス１００は、上端１６を尖らせた複数の縦桟材１５を、互いに水平方向に間隔を開けて立ち上げ、複数の縦桟材１５の上端１６寄りに軸挿通孔１７を各々形成し、複数の縦桟材１５のそれぞれの軸挿通孔１７を貫いて回転自在な回転体５を取り付けている。【選択図】  図１
2005016270.tif 000002
【特許請求の範囲】
【請求項１】
欄干の上縁を被覆する上縁被覆材と、該上縁被覆材の上方へ立ち上がるブラケットと、前記欄干の上縁に沿って延び前記ブラケットに回転自在に保持される回転体と、前記欄干の上縁と前記回転体との隙間を詰めるライナーとを備えることを特徴とする防犯エクステリア。
【請求項２】
互いに交差する複数の欄干のそれぞれの上縁を各々被覆する複数の上縁被覆材と、該複数の上縁被覆材の上方へ各々立ち上がるブラケットと、前記複数の欄干のそれぞれの上縁に沿って延び前記ブラケットに回転自在に保持される複数の回転体と、前記複数の欄干のそれぞれの上縁と前記複数の回転体との間を各々詰める複数のライナーと、互いに交差する前記欄干の隅部に設けられ前記複数の回転体の端部同士の間を各々詰める曲面状カバーとを備えることを特徴とする防犯エクステリア。
【請求項３】
前記ブラケットを、前記複数の曲面状カバーに各々内装したことを特徴とする請求項２に記載の防犯エクステリア。
【請求項４】
前記ライナーが、前記回転体の周面に転がり接触するローラを備えることを特徴とする請求項１乃至３に記載の防犯エクステリア。
【請求項５】
前記上縁被覆材と前記ライナーを一体形成したことを特徴とする請求項１乃至４に記載の防犯エクステリア。
【請求項６】
欄干又はフェンスの外側に掘り下げたＶ字谷の傾斜面を覆って設けられ、前記欄干又はフェンスの外側から前記欄干又はフェンスへ向かって下降傾斜する凹凸状板から成る防犯エクステリア。
【請求項７】
欄干又はフェンスの内側の踏面を覆って設けられる凹凸状板から成る防犯エクステリア。
【請求項８】
上端を尖らせた複数の縦桟材を、互いに水平方向に間隔を開けて立ち上げ、該複数の縦桟材の上端寄りに軸挿通孔を各々形成し、前記複数の縦桟材のそれぞれの軸挿通孔を貫いて回転自在な回転体を取り付けたことを特徴とする防犯フェンス。
【発明の詳細な説明】
【０００１】
【発明の属する技術分野】
本発明は、マンションや一戸建て住宅等の建物又は敷地への不当な侵入を阻止する防犯エクステリア、及び防犯フェンスに関する。
【０００２】
【従来の技術】
従来より、マンションや一戸建て住宅等のテラス又はベランダの欄干の上縁に沿って回転自在なパイプ等を配置することが公知である。これに係る技術が下記の特許文献に開示されている。
【０００３】
【特許文献１】
特開昭６０−７３９５２号公報
【特許文献２】
特開平１０−１７９００７号公報
【０００４】
【発明が解決しようとする課題】
しかしながら、上記のように欄干の上縁に沿ってパイプ等を配置する構成は、専ら鳥類の駆除や小児の転落防止を企図するものであり、所謂空き巣等の不当な侵入を阻止できる構造ではない。
【０００５】
そこで、本発明の目的は、欄干又はフェンスを乗り越えようとする者が、これを把持したり又は踏み台代わりにすることを阻止する防犯エクステリア、及び防犯フェンスを提供することにある。
【０００６】
【課題を解決するための手段】
本発明に係る防犯エクステリアは、欄干の上縁を被覆する上縁被覆材と、該上縁被覆材の上方へ立ち上がるブラケットと、前記欄干の上縁に沿って延び前記ブラケットに回転自在に支持される回転体と、前記欄干の上縁と前記回転体との隙間を詰めるライナーとを備えることを特徴とする。
【０００７】
更に、本発明に係る防犯エクステリアは、互いに交差する複数の欄干のそれぞれの上縁を各々被覆する複数の上縁被覆材と、該複数の上縁被覆材の上方へ各々立ち上がるブラケットと、前記複数の欄干のそれぞれの上縁に沿って延び前記ブラケットに回転自在に支持される複数の回転体と、前記複数の欄干のそれぞれの上縁と前記複数の回転体との間を各々詰める複数のライナーと、互いに交差する前記欄干の隅部に設けられ前記複数の回転体の端部同士の間を各々詰める曲面状カバーとを備えることを特徴とする。
【０００８】
更に、本発明に係る防犯エクステリアは、前記ブラケットを、前記複数の曲面状カバーに各々内装したことを特徴とする。
【０００９】
更に、本発明に係る防犯エクステリアは、前記ライナーが、前記回転体の周面に転がり接触するローラを備えることを特徴とする。更に、本発明に係る防犯エクステリアは、前記上縁被覆材と前記ライナーを一体成形したことを特徴とする。
【００１０】
また、本発明に係る防犯エクステリアは、欄干又はフェンスの外側に掘り下げたＶ字谷の傾斜面を覆って設けられ、前記欄干又はフェンスの外側から前記欄干へ向かって下降傾斜する凹凸状板から成るものである。
【００１１】
また、本発明に係る防犯エクステリアは、欄干又はフェンスの内側の踏面を覆って設けられる凹凸状板から成るものである。
【００１２】
本発明に係る防犯フェンスは、上端を尖らせた複数の縦桟材を、互いに水平方向に間隔を開けて立ち上げ、該複数の縦桟材の上端寄りに軸挿通孔を各々形成し、前記複数の縦桟材のそれぞれの軸挿通孔を貫いて回転自在な回転体を取り付けたことを特徴とする。
【００１３】
【発明の実施の形態】
本発明の実施の形態に係る防犯エクステリアについて、図面に基づき説明する。図１乃至図３に示すように、実施の形態に係る防犯エクステリア１は、欄干２の上縁２０の長手方向の全域に沿って固定される上縁被覆材３と、上縁被覆材３から上方へ立ち上がるブラケット４と、欄干２の上縁２０に沿って延びブラケット４に回転自在に支持される筒状の回転体５と、欄干２の上縁２０と回転体５との隙間６を詰めるライナー７とを備えるものである。図１の符号Ｃは、ブラケット４を隠蔽又はその露出を最小限に抑えるためのカバーを表している。
【００１４】
図１は、建物の外壁よりも室内側へ後退して形成される引込テラス８の欄干２に、防犯エクステリア１を適用した例を表す正面図である。引込テラス８に、建物又は敷地の外から不当に侵入しようとする者（以下、「侵入者」と記す。）は、図に表れた正面の欄干２を乗り越えなければならない。防犯エクステリア１は、このような一方向からの侵入者を考慮した最も簡素な構成であり、詳細は以下に述べる。図２は、防犯エクステリア１の一端側を表し、他端側を省略した分解斜視図である。図３は、防犯エクステリア１を長手方向の途中（胴部）で破断した分解斜視図である。図３に表したライナー７は、必ずしも防犯エクステリア１の長手方向の全域に設ける必要はないので、これを図２中に表していない。
【００１５】
欄干２とは、テラスの他、ベランダ、バルコニー、又は建物の適所に設置される胸壁や腰壁のように、その上縁に手摺りを設ける箇所、又は故意に乗り越えることが可能な箇所であることを意味する。更には、通路、敷地、又は、部屋割り等を区画する場合に、これらの間を人が跨いで通ることを規制するための小さな柵や仕切り等の上縁に、防犯エクステリア１を取り付けても良い。
【００１６】
上縁被覆材３は、以上に例示した欄干２の上縁２０を覆うものであれば、その具体的な形状は如何なるものであっても良いが、サッシュバー等のように設計の自由度が広い押出成形品であることが望ましい。ここで、覆うとは、上縁２０の表層のみを覆うことに限らず、上縁２０及びその付近を被覆することを広く意味する。また、上縁被覆材３を欄干２の笠木等と一体にしても良い。
【００１７】
図中には、上縁被覆材３の最も好ましい形態例として、下向き溝形の断面を表している。これは、防犯エクステリア１を既成の欄干２に取り付ける場合に、欄干２の上縁２０を上縁被覆材３の内側に挿入させつつ、上縁被覆材３をタッピングビス等を用いて欄干に固定すれば、上縁被覆材３が欄干２の上縁２０を被覆し、上縁被覆材３が欄干の装飾材としての役割を果たすことを企図している。更には、既成の欄干２が、例えば、笠木を有するものであっても、これを上縁被覆材３によって被覆できるので、既成の笠木を取り外す手間が不要になるという利点に加え、侵入者が不当な侵入を試みた際に、上記の笠木の縁を把持したり、これに指先を引っ掛けられないという効果も得られる。
【００１８】
ブラケット４は、図２に示すように、回転体５の一端部５０を数ｍｍ没入させる凹部４０を頭部に形成し、上縁被覆材３の上面に固定する脚部４１を下端に形成した金物である。脚部４１は、タッピングビス等を用いて上縁被覆材３に接合できるフランジである。ブラケット４の断面を図４に表したように、ブラケット４の凹部４０の内径は、回転体５の一端部５０の外径より僅かに大きく設定している。このため、回転体５はブラケット４に支持されつつ、僅かな外力を受けるだけで、その周方向に自由に回転することができる。
【００１９】
上記のように笠木を把持すること等を縁被覆材３によって阻止された侵入者が、欄干２を乗り越えようとすれば、この侵入者は回転体５に手を掛けなければならない。この他、侵入者が欄干２を設けた引込テラス８の上階からロープ伝いに欄干２に乗り移ろうとする場合、或いは、隣地の建物から欄干２に乗り移ろうとする場合に、この侵入者は回転体５に足を掛けなければならない。そして、回転体５に掛けた手又は足で侵入者自身の体重を支えようとすると、回転体５が、図１に矢印Ｒで指したように、欄干２の外側又は内側へ向かって突然、不意に回転しようとする。
【００２０】
これにより、侵入者は、上記の体勢で欄干２を乗り越えようとすれば、その身体が小刻みに揺さぶられることになる。それでも無理に侵入者が欄干２を乗り越えようとすれば、一層大きく身体が揺さぶられるので、侵入者は転落の危険を察知して、欄干２を乗り越えるのを断念することになる。
【００２１】
図５は、複数本の回転体５を継ぐ場合に、複数本の回転体５の間に配置するのに適したブラケット９の一例を表している。これは、欄干２が特に長尺なものである場合に、これに合わせて１本の回転体５が長尺になるのを避け、欄干２の上縁２０に沿って、１乃至３ｍ程度に分断した複数の回転体５を一列に配置することを企図している。
【００２２】
ブラケット９は、脚部４１から支持片４２を立ち上げ、支持片４２の頭部に、一方の回転体５の一の端部５０と他方の回転体５の他の端部５１との内方へそれぞれ没入するピン４３を各々取付けたものである。ピン４３の外径は、回転体５の内径より僅かに小さく設定しているので、複数の回転体５はブラケット９に各々支持されつつ、それぞれの周方向に自由に回転することができる。支持片４２の厚さは、５乃至８ｍｍ程度とするのが望ましい。これは、隣り合う２本の回転体５の端部５０，５１の間を経て、支持片４２の頭部に侵入者が指等を引っ掛けることを阻止するためである。
【００２３】
回転体５は、軽量でしかも強靱なアルミニューム合金製のパイプ（中空材）であることが好ましいが、丸棒状の金属塊であっても良い。或いは、図６に示すように、回転体５の内側に芯材５３を挿通し、芯材５３の端部５４を既述のブラケット４，９に支持させても良い。これは、施工の簡素化及び迅速化を企図した構成である。即ち、回転体５が長尺な一本のパイプであれば、欄干２の実寸法に合わせて回転体５を適切な長さに切断することに加え、外観として目立つ回転体５の切り口の化粧仕上げを行うという手間を避けられない。これに対して、同図に表したように、複数の短筒である回転体５を連ねその数の増減によって防犯エクステリア１の全長を伸縮できるようにすれば、芯材５３を切断するだけで済み、芯材５３の切り口の仕上げは省略することができる。
【００２４】
ライナー７は、上縁被覆材３と回転体５との間に詰め込まれるものであり、両者の隙間６に侵入者が指等を挿入できないように、隙間６を積極的に狭めるものである。更に、ライナー７は、隙間６を狭めることにより、隙間６から欄干２の内側が見えないよう隠蔽する目隠し材の役割も果たす。また、図７（ａ）に示すように、ライナー７を上縁被覆材３と共に押出成形によって一体に形成した場合には、その断面の形状を自由に設計できるという利点が得られるので、例えば、ライナー７の上面に、回転体５の周面に沿って湾曲した凹部７０を形成しても良い。
【００２５】
図示の通り、凹部７０と回転体５の周面との間に僅かな空隙６０を保ちつつ、回転体５をその下側が凹部７０に没入する高さに配置すれば、回転体５とライナー７とが略一連の輪郭を成し、恰も一体のエクステリアとしての装飾効果を奏することになる。或いは、同図（ｂ）に示すようように、回転体５の直径が欄干２の厚み寸法よりも大きい場合には、ライナー７を省略してもしても良いが、既述のエクステリアとしての装飾効果を考慮すれば、断面の形状が楔形のライナー７１を隙間６に挿入することが望ましい。この場合、芯材５３の周りに、ハブ又はスポーク５５を介して回転体５を支持しても良い。
【００２６】
更に、図８に示すように、ライナー７に、回転体５の周面に転がり接触するローラ１１を設けても良い。詳しくは、ライナー７の凹部７０の内周面の適所にスリット状の切欠き７２を形成し、切欠き７２に、回転体５の回転軸（長手方向に一致）に平行に延びる複数の支軸１１０を掛け渡し、複数の支軸１１０に、回転体５に転がり接触する複数のローラ１１を各々支持させる。ローラ１１は、回転体５に常時接触している必要はなく、ローラ１１から僅かに回転体５が浮き上がっていても良い。
【００２７】
このような複数のローラ１１は、侵入者の手又は足が回転体５に掛けられた場合に、回転体５が、下向きの荷重を受けることよって下向きに撓み、ライナー７に擦れることを防止し、回転体５の円滑な回転動作を維持することを企図して設けられる。また、この場合、ブラケット４，９は、必ずしも回転体５に加わる荷重を総て支えなくて良く、回転体５を所定の位置に留めることができれば足りる。
【００２８】
次に、図９は、他の実施の形態に係る防犯エクステリア１０の片側の隅部２１を表した分解斜視図である。防犯エクステリア１０は、建物の外壁から屋外へ張り出して形成されるテラス１３の欄干２に適用されるものである。以下で、既述した防犯エクステリア１と同様の構成には同符号を付し、その図示及び詳細な説明は省略する。また、図示を省略しているが、侵入者がテラス１３によじ登ろうとした際に、テラス１３の周囲に設けたパイプ状の縦桟１３０を把持するのを阻止するために、テラス１３の外面にアクリル板等を貼り付けることが望ましい。
【００２９】
防犯エクステリア１０の特徴は、互いに交差する複数の欄干２のそれぞれの上縁２０に沿って各々固定される下向き溝形の複数の上縁被覆材３と、複数の上縁被覆材３から各々立ち上がるブラケット４と、複数の欄干２のそれぞれの上縁２０に沿って延びブラケット４に回転自在に支持される複数の回転体５と、複数の欄干２のそれぞれの上縁２０と複数の回転体５との間を各々詰める複数のライナー７と、互いに交差する欄干２の隅部２１の上端に設けられ複数の回転体５の端部５０，５１の間を詰める曲面状カバー１２とを備えることにある。
【００３０】
ここで、複数とは２以上の本数又は個数を意味する。また、図示した回転体５は２本であり、曲面状カバー１２は１個であるが、テラス１３の隅部２１が同テラス１３の両側にそれぞれ在る場合には、少なくとも回転体５が３本以上、曲面状カバー１２が２個以上となる。曲面状カバー１２としては、アルミニューム製板をプレス加工等により球殻状に塑性変形させたものを適用できる。曲面状カバー１２の内部の空間には、図示した２本の回転体５の端部５０，５１をそれぞれ支持するために、図に表れていない２体のブラケット４を配置している。
【００３１】
このように、曲面状カバー１２とブラケット４とは互いに別体であっても良いが、図１０に示すように、曲面状カバー１２と同様の輪郭を有する金属塊１４に一対の凹部４０を各々形成し、この金属塊１４を隅部２１の上部に固定する一方、２本の回転体５のそれぞれの端部５０，５１にジャーナル部材５６を各々嵌め込んで固定し、金属塊１４の一対の凹部４０に、それぞれの回転体５のジャーナル部材５６を各々没入させても良い。
【００３２】
次に、本発明に係る防犯フェンスの実施の形態について説明する。図１１に示すように、当該防犯フェンス１００は、上端１６を尖らせた複数の縦桟材１５を、互いに水平方向に間隔を開けて、図に表れていない地面又は床面から立ち上げ、複数の縦桟材１５の上端１６寄り、具体的には上端１６から５０乃至９０ｃｍ下方に軸挿通孔１７を各々形成し、複数の縦桟材１５のそれぞれの軸挿通孔１７を貫いて回転自在な回転体５を取り付け、更に、軸挿通孔１７に対して回転体５が円滑に回転できるように、両者の間に軸受ブッシュ１８を嵌入している。ここで、５０乃至９０ｃｍとしたのは、回転体５に梯子等を掛けた場合でも、侵入者は更に縦桟材１５の上端１６を乗り越えなければならないようにするためである。
【００３３】
縦桟材１５は、アルミニューム製板を折曲することにより、図１２に示すように、略コ字型の胴部１５０と、その両方の口縁を外方に延出した一対のフランジ１５１とを有する断面略ハット形に成形されたものである。図示を省略しているが、縦桟材１５の下端付近の適所には横桟等を付加しても良い。縦桟材１５の上端１６は、縦桟材１５を斜めに横切るように切断した際の切り口として得られる。軸受ブッシュ１８は、軸挿通孔１７と回転体５とを殆ど隙間無く接続することにより、複数の縦桟材１５を繋ぐ横桟としての役割を、回転体５に担わせるものである。
【００３４】
防犯フェンス１００によれば、侵入者がこれを乗り越えるには、尖った形状の縦桟材１５の上端１６に手又は足を掛けることを諦めて、回転体５に手を掛けるしかないが、回転体５に掛けた手又は足で侵入者自身の体重を支えようると、回転体が防犯フェンス１００の外側又は内側へ向かって突然、不意に回転しようとする。従って、既述と同様の理由で、侵入者は防犯フェンス１００を乗り越えることを断念する。
【００３５】
図１３は、本実施の形態に係る防犯フェンス２００の変形例を表している。当該防犯フェンス２００は、複数の縦桟材１５の上端１６を可倒構造とし、侵入者が手又は足を掛けると上端１６が倒れ込み、通常は、図に表れていないバネ等によって上端１６が起立するよう付勢したものである。可倒構造として、例えば、縦桟材１５から上端１６を切り離し、上端１６が回転体５をヒンジピンとして回動するものが挙げられる。
【００３６】
以上に述べた構成に加えて、以下の防犯エクステリアを組み合わせれば、一層防犯効果を高めることができる。即ち、図１４（ａ）に示すように、欄干２の外側の地面を掘り下げたＶ字谷３０の傾斜面３１を覆って設けられ、欄干２の外側から欄干２へ向かって下降傾斜する凹凸状板３２から成る防犯エクステリアを適用しても良い。或いは、これと本質的な構成が同じであるため図示を省略するが、防犯フェンス１００の外側を掘り下げたＶ字谷３０の傾斜面３１を覆って凹凸状板３２を設けるようにしても良い。
【００３７】
凹凸状板３２としては、同図（ｂ），（ｃ）にＢ−Ｂ断面を示すように、波形又はそれに類似する断面形状を有する鋼板を適用しても良いが、表面に凹凸を多数有し侵入者の足場を不安定にするものならば、その形状は何ら限定されるものではない。更に、欄干２又は防犯フェンス１００の内側の敷地の地面又は床面等である踏面３４を覆って凹凸状板３５を設けても良い。凹凸状板３５は、凹凸状板３２と同じ材料を水平な姿勢で用いたものである。
【００３８】
尚、本発明は、その主旨を逸脱しない範囲で、当業者の知識に基づき種々なる改良、修正、又は変形を加えた態様で実施できるものである。
【００３９】
【発明の効果】
本発明に係る防犯エクステリアを、既成の欄干に適用する場合には、欄干の上縁に沿って上縁被覆材を固定することにより、上縁被覆材が欄干の上縁を被覆し、上縁被覆材が欄干の装飾材としての役割を先ず果たすことができる。更には、既成の欄干が例えば手摺りや笠木を有するものであっても、これらを上縁被覆材によって被覆できるので、侵入者が不当な侵入を試みた際に、既成の手摺りや笠木を把持したり、これらに指先を引っ掛けられなくなる。このため、侵入者が欄干を乗り越えるには、回転体に手を掛けるしかないが、回転体は、上縁被覆材から立ち上がるブラケットに回転自在に支持されているので、これに掛けた手で侵入者自身の体重を支えようると、回転体が欄干の外側又は内側へ向かって突然、不意に回転しようとする。このような回転を侵入者が予期するのは困難である。
【００４０】
従って、侵入者は上記の体勢で欄干を乗り越えようとすれば、その身体が小刻みに揺さぶられることになる。それでも無理に侵入者が欄干を乗り越えようとすれば、一層大きく身体が揺さぶられるので、侵入者は転落の危険を察知して、欄干を乗り越えるのを断念する。また、侵入者が欄干の上階からロープ伝いに同欄干に乗り移ろうとする場合、或いは、隣地の建物から欄干に乗り移ろうとする場合に、この侵入者が回転体に足を掛ければ、回転体が突然回転しようとするので、侵入者の足元が不安定になり、侵入者は転落の危険を察知して、欄干を乗り越えるのを断念する。
【００４１】
また、以上の効果を達成するための構成は、回転体を主体とした簡素なものであるので、当該防犯エクステリアの製造コストは極めて安価である。しかも、当該防犯エクステリアは、既成の欄干に設置する場合でも、極めて容易に施工できるという利点がある。
【００４２】
また、本発明に係る防犯エクステリアによれば、複数の回転体の端部同士の間を、欄干の隅部に設けられた曲面状カバーによって各々詰めるよう構成しているので、欄干の上縁に侵入者が手又は足を掛ける余地を無くすことができる。しかも、曲面状カバーは、複数の回転体の端部同士の間に配置できるような幅の狭い部材であることに加え、その形状が曲面であるため、侵入者の手又は足が引っ掛かり難く、侵入者が周到に手又は足を曲面状カバーに掛けたとしても、これに体重を載せれば、その体勢が極めて不安定になることは必至である。
【００４３】
従って、既述のように回転体に手又は足を掛けて欄干を乗り越えようとした侵入者が、これを断念した後に、再度の不当な侵入を試みて曲面状カバーに手又は足を掛けたとしても、結局は、侵入者は転落の危険を察知して、欄干を乗り越えるのを断念するしかない。
【００４４】
更に、本発明に係る防犯エクステリアによれば、ブラケットを曲面状カバーに内装しているので、ブラケットを隠蔽して当該防犯エクステリア全体の見栄えを向上できることに加え、侵入者が手又は足を掛ける余地を一層少なくすることができる。
【００４５】
更に、本発明に係る防犯エクステリアによれば、ライナーが回転体の周面に転がり接触するローラを備えるので、回転体が長尺なものであってもその長手方向の中が撓むのを防止できる。また、侵入者の体重が回転体に一瞬加わったとしても、回転体が撓みこの回転が阻害されるという事態を未然に防止することができる。更に、上縁被覆材とライナーとを押出成形により一体に構成した場合、これらの歪みを抑えられるので、当該防犯エクステリアが長尺なものであっても、歪みの少ない綺麗な外観を奏することができる。
【００４６】
また、本発明に係る防犯エクステリアによれば、欄干又はフェンスの外側に掘り下げたＶ字谷の傾斜面を覆って、欄干又はフェンスの外側から欄干又はフェンスへ向かって下降傾斜する凹凸状板を設けることにより、侵入者が外側から欄干へ接近するのを阻止することができる。また、侵入者が仮に外側から欄干又はフェンスまで手を伸ばせたとしても、Ｖ字谷が有るため欄干又はフェンスによじ登ろうとして踏ん張ることはできない。しかも、侵入者がＶ字谷へ足を踏み入れたならば、凹凸状板が侵入者の足場を不安定にすることに加え、侵入者はＶ字谷内へ滑り落ちそうになる。従って、侵入者は誤ってＶ字谷に転落しそうな危うさを感じる。このような精神的な抑圧によって侵入者は欄干又はフェンスを乗り越えるのを断念するしかないのである。
【００４７】
また、欄干又はフェンスの内側の踏面を覆って凹凸状板を設けた場合、侵入者は欄干又はフェンスを乗り越えたとしても、そこから屋内又は敷地内へ不用意に飛び下りれば、凹凸状板によって足を捻挫する等の恐怖感を覚えることになる。このような精神的な抑圧によって侵入者は欄干又はフェンスを乗り越えるのを断念するしかないのである。しかも、屋内側又は敷地内に居る子供等が、欄干又はフェンスに近寄ることを阻止して、子供等が回転体を回して遊ぶ等の悪戯を未然に防止することもできる。
【００４８】
本発明に係る防犯フェンスによれば、上端を尖らせた複数の縦桟材を、互いに水平方向に間隔を開けて立ち上げ、複数の縦桟材の上端よりも下方に軸挿通孔を各々形成し、複数の縦桟材のそれぞれの軸挿通孔を貫いて回転自在な回転体を取り付けているので、侵入者がこれを乗り越えるには、尖った形状の縦桟材の上端に手又は足を掛けることを諦めて、回転体に手を掛けるしかない。このため、回転体に掛けた手又は足で侵入者自身の体重を支えようると、回転体が当該防犯フェンスの外側又は内側へ向かって突然、不意に回転しようとする。
【００４９】
従って、侵入者は、回転体に手又は足を掛けたままの体勢で当該防犯フェンスを乗り越えようとすれば、その身体が小刻みに揺さぶられることになる。それでも無理に侵入者が当該防犯フェンスを乗り越えようとすれば、一層大きく身体が揺さぶられるので、侵入者は転落の危険を察知して、当該防犯フェンスを乗り越えるのを断念する。
【図面の簡単な説明】
【図１】本発明の実施の形態に係る防犯エクステリアの正面図、及びそのＡ−Ａ断面図。
【図２】本発明の実施の形態に係る防犯エクステリアの端部を一部破断した分解斜視図。
【図３】本発明の実施の形態に係る防犯エクステリアの胴部を破断した分解斜視図。
【図４】本発明の実施の形態に係る防犯エクステリアの端部の一の変形例を表す断面図。
【図５】本発明の実施の形態に係る防犯エクステリアの端部の他の変形例を表す断面図。
【図６】本発明の実施の形態に係る防犯エクステリアの第１の変形例を表す分解斜視図。
【図７】本発明の実施の形態に係る防犯エクステリアの第２の変形例を表す要部の断面図、及びその第３の変形例の設置例を表す断面図。
【図８】本発明の実施の形態に係る防犯エクステリアの第４の変形例を表す要部の断面図、及びそれに適用するローラの斜視図。
【図９】本発明の他の実施の形態に係る防犯エクステリアの設置例を表す隅部の分解斜視図。
【図１０】本発明の他の実施の形態に係る防犯エクステリアの隅部の断面図。
【図１１】本発明の実施の形態に係る防犯フェンスの要部の斜視図。
【図１２】本発明の実施の形態に係る防犯フェンスの要部の断面図。
【図１３】本発明の実施の形態に係る防犯フェンスの変形例の側面図。
【図１４】本発明の実施の形態に係る防犯エクステリアの組合せ例を示す断面図、及びそのＢ−Ｂ断面図。
【符号の説明】
１，１０：防犯エクステリア
２：欄干
３：縁被覆材
４，９：ブラケット
５：回転体
６：隙間
７，７１：ライナー
１１：ローラ
１２：曲面状カバー
１５：縦桟材
１６：上端
１７：軸挿通孔
２０：上縁
２１：隅部
３０：Ｖ字谷
３１：傾斜面
３２，３５：凹凸状板
５０，５１：端部
１００：防犯フェンス
１１０：支軸
【図１】
2005016270.tif 000003
【図２】
2005016270.tif 000004
【図３】
2005016270.tif 000005
【図４】
2005016270.tif 000006
【図５】
2005016270.tif 000007
【図６】
2005016270.tif 000008
【図７】
2005016270.tif 000009
【図８】
2005016270.tif 000010
【図９】
2005016270.tif 000011
【図１０】
2005016270.tif 000012
【図１１】
2005016270.tif 000013
【図１２】
2005016270.tif 000014
【図１３】
2005016270.tif 000015
【図１４】
2005016270.tif 000016